(57)【要約】【課題】構造を簡素にして軽量化及び低コスト化を図るとともに、シート状物品の巻回作業を容易にする。【解決手段】上記課題を解決するため、シート状物品(５０)を周囲に巻きつけて保管するシート状物品の保管器具(１)であって、幅方向断面において２つの分割筒(２ａ、２ｂ)に分割され、一端をヒンジ部(２Ａ)で連結し、他端を開放部(２Ｂ)とした巻筒と、巻筒の開放部(２Ｂ)の両側にそれぞれ両端を固定することにより、巻筒(２)の内側に弛みをもって掛け渡され、シート状物品の端部を保持する懐材(４)と、を有するシート状物品の保管器具を提案する。【選択図】図４
2009273617.tif 000002
【特許請求の範囲】
【請求項１】
シート状物品を周囲に巻きつけて保管するシート状物品の保管器具であって、
幅方向断面において２つの分割筒に分割され、一端をヒンジ部で連結し、他端を開放部とした巻筒と、
前記巻筒の開放部の両側にそれぞれ両端を固定することにより、前記巻筒の内側に弛みをもって掛け渡され、前記シート状物品の端部を保持する懐材と、
を有することを特徴とするシート状物品の保管器具。
【請求項２】
請求項１記載のシート状物品の保管器具であって、
前記懐材はシート材であることを特徴とするシート状物品の保管器具。
【請求項３】
請求項１または２記載のシート状物品の保管器具であって、
前記巻筒のそれぞれの開放部は、幅方向の断面において、先端へ向かって薄くなっていることを特徴とするシート状物品の保管器具。
【請求項４】
請求項３記載のシート状物品の保管器具であって、
前記巻筒の開放部の少なくとも一方には、該開放部の長手方向両端に、一方の開放部が他方の開放部の下側に回り込んでしまうことを防止するためのスペーサを有することを特徴とするシート状物品の保管器具。
【請求項５】
請求項１乃至３のいずれか記載のシート状物品の保管器具であって、
前記開放部が閉じた状態で、前記巻筒の両端に取り付ける一組の固定具をさらに有し、前記固定具は前記巻筒に内嵌して前記巻筒の断面形状を保持する嵌合部を有することを特徴とするシート状物品の保管器具。
【請求項６】
請求項１乃至５のいずれか記載のシート状物品の保管器具であって、
さらに、一方の前記開放部には、その外側にシート状カバーが取り付けられており、前記シート状物品の一端を前記懐材に挿入して前記巻筒を閉じたときには、前記シート状カバーが前記巻筒の外周面との間、または巻回した前記シート状カバーとの間に前記シート状カバーを挟んで保持することを特徴とするシート状物品の保管器具。
【発明の詳細な説明】
【技術分野】
【０００１】
本発明は、掛軸、巻子、地図、タペストリー、ポスター、設計図等のシート状物品の一端を保持し、大径を有する本体に巻きつけて保管する保管器具であって、シート状物品の端部を傷つけることなく、巻きつけ作業時の取り扱い性を向上させた保管器具に関するものである。
【背景技術】
【０００２】
従来から使用されている、保管器具101はいわゆる太巻芯と呼ばれる掛軸の保管器具を図１２に示す。掛軸の下端に巻芯を取り付けてあり、収納時には巻芯に巻回して保管するものであるが、巻芯の径が小さいと作品に過度な巻き癖を付けて破損させたり、また、場合によっては経年変化や酸化や化学変化などによって物理的な損傷に至るおそれがある。そこで、貴重な掛軸は巻き癖が軽減されるように、また巻芯と作品が直接接触しないように、かかる太巻芯に巻きつけられて保管される。
【０００３】
この保管器具101は、主として桐材などの木製の円柱体の太巻芯本体102を幅方向で二つの分割体102a、102bに分割し、一端を皮革製や金属製のヒンジ103で連結したものである。それぞれの分割体102a、102bは、ヒンジ103の他端に偏芯した溝部104を形成しており、ヒンジ103によってこの溝部104が開閉する構造となっている。そして、使用する際は、この溝部104に掛軸の巻芯を挿入して太巻芯本体102を閉じ、その後、掛軸の作品を太巻芯本体102の外側に巻き付けて、これを保存する。
【０００４】
また、このような太巻芯は、木製のものに代えて合成樹脂製のものが提案されている（例えば、特許文献１参照）。特許文献１の構成は、円柱状本体の全体を炭素繊維素材で形成し、軽量化を図ったうえで作品に化学的な影響を与えない太巻芯を構成しており、ヒンジを用いて溝部が開閉する構造のみならず、はめ込み式で溝部を形成する構造も提案されている。
【０００５】
【特許文献１】特開２０００−１３９６４８
【発明の開示】
【発明が解決しようとする課題】
【０００６】
しかしながら、かかる従来例においてはいずれの構造も中実の円柱材の一部に大きさが一定の溝部を設けて、その溝内に掛軸などのシート状物品の一端を保持する構造であるため、溝部の径よりも大きな径の巻芯を挿入できないと同時に、逆に溝部が大きく巻芯との間での遊びが大きいと、巻き取る際に本体を回転させると溝部内で巻芯が暴れて一部、溝部に入り込んだ作品が破損する可能性がある、という問題点があった。
【０００７】
また、巻芯を有さない、ポスターなどのシート状物品であっても、溝部は変形しない一定形状を有するため、その端部が溝部の一端に当たると、これを変形させてしまうという問題点もあった。
【０００８】
さらに、中実である従来の太巻芯は、重量が嵩み、たとえ作業者が一人で両手で持てる重量であっても、太巻芯の開放、閉鎖作業と、巻き作業を同時に行わなければならないため、掛軸を壁に掛けた状態で作業すると、作品に太巻芯の重量が無用なストレスを与えてしまう可能性があるため、複数人で作業を行う必要があった。
【０００９】
本発明の目的は、シート状物品の巻き癖を軽減してそれによる損傷から保護することにあるが、特に、軽量化を図ることにより巻きつけ作業時の取り扱い性を向上させ、また重量による作品へのストレスを軽減させることにある。
【課題を解決するための手段】
【００１０】
上記目的を達成するため、本発明の代表的なシート状物品の保管器具は、幅方向断面において一端に開放部を有し、他端にヒンジ部を有する巻筒と、巻筒の開放部の両側に両端をそれぞれ固定することにより、巻筒の内側に弛みをもって掛け渡され、シート状物品の端部を保持する懐材と、を有する。
【００１１】
また、懐材はシート材であることを特徴とするシート状物品の保管器具であってもよい。
【００１２】
また、巻筒のそれぞれの開放部は、幅方向の断面において、先端へ向かって薄くなっている構造を取ることが望ましい。
【００１３】
また、巻筒の開放部の少なくとも一方には、該開放部の長手方向両端に、一方の開放部が他方の開放部の下側に回り込んでしまうことを防止するためのスペーサを有する構造としても良い。
【００１４】
また、開放部が閉じた状態で、巻筒の両端に取り付ける一組の固定具を有し、この固定具は巻筒に内嵌して巻筒の断面形状を保持する嵌合部を有する。
【００１５】
一方の前記開放部には、その外側にシート状カバーが取り付けられており、前記シート状物品の一端を前記懐材に挿入して前記巻筒を閉じたときには、前記シート状カバーが前記巻筒の外周面との間、または巻回した前記シート状カバーとの間に前記シート状カバーを挟んで保持することを特徴とするシート状物品の保管器具。
【発明の効果】
【００１６】
本発明のシート状物品の保管器具によれば、従来の同様の保管器具に比べて構造が単純となり、よって軽量化及び低コスト化が可能である。また、さらに懐材と巻筒の開放部が連動することにより、掛軸の一端を懐材に載置することで巻筒を閉じることができ、作業者がシート状物品の巻き取り、または展開作業を容易に行うことができる。
【発明を実施するための最良の形態】
【００１７】
〔実施形態〕
図を用いて本発明の実施形態を説明する。図１は実施形態に太巻芯（シート状物品の保持器）の斜視図、図２は同太巻芯の分解斜視図、図３は同太巻芯の構造を説明する説明図である。
【００１８】
図１及び図２に示すように、シート状物品の保管器具である、本実施形態の太巻芯１は、中空の筒体である巻筒２とその内側に配置される懐材４とから構成される。太巻芯１の大きさは保管する掛軸などの大きさによって様々となるが、通常200mm〜6000mmの長さ、30mm〜600mmの直径を有する。
【００１９】
巻筒２は、幅方向において筒体の中心軸に沿って２つの分割筒２ａ、２ｂに分割されており、これら分割筒２ａ、２ｂの一端を、屈曲可能にヒンジ３で連結している。この構造により、巻筒２はその幅方向断面において、一端にヒンジ部２Ａとなり、他端が開放部２Ｂとなる。巻筒２の材質は中性紙の厚紙であるが、他にＰＥＴなどの合成樹脂なども選択できる。
【００２０】
巻筒２は所定の強度を有する紙管であって、厚みは0.5mm〜10mmを有する。保管する掛軸などのシート状物品が、直接に巻筒２の外周面に接触することを考えると、巻筒２の少なくとも外周面は化学的な影響を抑えるために中性に保たれていることが望ましい。また、結露などが起こらない温度や湿度の変化に対応する素材が望ましい。
【００２１】
巻筒２のヒンジ部２Ａは、２枚の帯テープ３ａ、３ｂを内側及び外側から張り合わせるように接着してヒンジ３としている。なお、帯テープ３ａ、３ｂは巻筒２と同様に保管する対象に直接接触するために、中性リネンテープを用いることが望ましい。なお、帯テープ３ａ、３ｂの接着には小麦粉澱粉糊やメチルセルロースなどの接着剤を用いる。
【００２２】
巻筒２の開放部２Ｂにおいて、その分割筒２ａ、２ｂの先端部２ａ１、２ｂ１は幅方向断面においてテーパ形状となっており、先端に向かって厚みが薄くなるように構成されている。本実施形態では、このテーパ形状は内側から幅を削ることによって、巻筒２の外径の真円形状を保っている。
【００２３】
懐材４は、シート状部材であって巻筒２の内側に配置されている。この懐材４は、その両端をそれぞれ巻筒２の分割筒２ａ、２ｂの先端部２ａ１、２ｂ１の外側に固定しており、シート状本体４ｂはこれら開放部２Ｂの両側に弛んだ状態で掛け渡される状態となり、全体では断面が倒立したΩ形状となっている。
【００２４】
懐材４として、楮（こうぞ）紙を使用しており、掛軸の巻芯を支える強度と耐久性を有するものが選択される。この懐材４の端部４ａと巻筒２との接着は巻筒２の外周面に小麦粉澱粉糊などを帯状または点付して固定しており、図１中の円内の拡大図に示すように、懐材４の端部４ａは裁断を喰い裂きでおこなって端面での厚みを消失させており、接着した際に、巻筒２上に段差を生じさせないようにしている。
【００２５】
図３(a)に示すように、以上のように構成された太巻芯１は通常の状態では開放部２Ｂが閉じた状態となっており、懐材４は巻筒２の内側に筒状に懸架されている。
【００２６】
次に、図３(b)に示すように、ヒンジ部２Ａを支点にして開放部２Ｂを開くと、懐材４のシート状本体４ｂは開放部２Ｂから露出し、掛軸等のシート状物品の端部を挿入可能となる。このとき、
懐材４は巻筒２の分割筒２ａ、２ｂの開放規制部材としても機能し、所定の角度以上に左右の分割筒２ａ、２ｂが分離することを規制する。
【００２７】
図４乃至図６を用いて、本実施形態の太巻芯１の使用方法を説明する。図４及び図５は同太巻芯に掛軸を収納する際の作業説明図、図６は同太巻芯の多様な使用方法を示す説明図である。
【００２８】
図４(a)に示すように、掛軸５０の下に太巻芯１を持って行く。そして、図４(b)に示すように、巻筒２を開放して、この開放部２Ｂから掛軸５０下端の巻芯５１を巻筒２内に挿入し、巻筒２内の懐材４のシート状本体４ｂの上に巻芯５１を載せる。
【００２９】
次に図４(c)に示すように、さらに太巻芯１を上方に持ち上げると、掛軸５０の巻芯５１は相対的に下がることになり、その自重により懐材４のシート状本体４ｂは巻芯５１の両側を包むようにフィットしながら下方に引っ張られる。すると、懐材４の上端は互いに近づくように動くために、巻筒２の開放部２Ｂを閉じる力が生じ、自然と巻筒２が閉じる。
【００３０】
そして、図４(d)に示すように、巻筒２を閉じた状態でこれを回転させ、掛軸５０のシート状の作品５２を巻筒２の外周面に巻回して、これを巻き取っていく。このとき、同図中の円内の拡大図に示すように、巻筒２の開放部２Ｂにおいては、それぞれの分割筒２ａ、２ｂの先端部２ａ１、２ｂ１が断面テーパ状で端面に段差を有さないため、作品５２を巻き取る際に開放部２Ｂで折目が付くことを防止することができる。
【００３１】
図５(a)に示すように、作業者は上述の作業を太巻芯１の両端を両手に持つことで容易に行うことができる。例えば、図１２に示すような従来型の太巻芯(保管器具)101ではその開放、閉鎖作業と巻き取り作業を個別に行わなければならなかったが、本実施形態の太巻芯１では掛軸５０の巻芯５１を巻筒２内の懐材４に載せて巻筒２を上方に持ち上げるだけで自然と開放部２Ｂが閉じ、それに連続して巻き始めることができるために、人間工学的に一連の作業を円滑に進めることができる。
【００３２】
図５(b)に示すように、作品５２を巻筒２の外周に巻きつけると、掛軸５０の他方の巻芯５３が外側に位置し、この巻芯５３とともに紐などで外周を固定して、巻き付け作業を終了する。
【００３３】
図６(a)に示すように、通常は掛軸５０を壁に掛けた状態で、下端側の巻芯５１を太巻芯１に収納し、それを持ち上げるように巻き取っていくことができる。また、掛軸５０を展開する場合は、太巻芯１の外側にある巻芯５１の掛紐５４を壁のフックに引っ掛け、その後、太巻芯１を反対に回転させて作品５２を広げていくことができる。
【００３４】
ただし、太巻芯１の使用方法はこれに限られず、図６(b)に示すように、上端側の巻芯５３を太巻芯１に収納して巻末のみを引き出すことができる。これによれば、巻頭を巻いた状態にして、巻末を部分的に露出させることができる。また、図６(c)に示すように、２つの太巻芯１を用い、それぞれを掛軸５０の両岸側の巻芯５１、５３を収納したうえで、両側から巻き取っていくこともできる。この場合は、一方を巻き取り、他方を引き出すことで、作品の途中の一部を展開することができ、また、作品の本紙部分のみを露出させることもできる。
【００３５】
［他の実施形態１、２、３]
他の実施形態１、２、３を図７(a)乃至(c)に示す。これらは、懐材のバリエーションであって、上記実施形態の懐材４と構造を異にするものである。
【００３６】
図７(a)に示す、他の実施形態１の懐材４は、シート状本体４ｂの外側面に板状の整形板４ｃがさらに取り付けられている。掛軸の巻芯は必ずしも円柱状のものに限られず、扁平形状のものも存在するため、かかる形状の巻芯を保持するためには懐材４が扁平に整形されていた方が広い面積で支持することができ懐材４内での巻芯の安定性をより向上させることが出来る。
【００３７】
図７(b)に示す、他の実施形態２の懐材１４は、シート状本体１４ｂをエアパッキンや発泡樹脂製のクッション材で形成したものであり、巻芯を弾力をもって保持することができる。図３(d)に示したように、巻芯を保持した状態で巻筒２を回転させると、巻芯は懐材４とともに巻筒２の内周面に当接するが、実施形態２の構造であれば、その際の衝撃を和らげることができる。
【００３８】
図７(c)に示す、他の実施形態３の懐材２４は、シート状本体１４ｂの中央に開口部２４ｃを形成しており、この開口部２４ｃに図６(a)や図６(b)に示した掛紐５４や巻緒、巻紐等を通して保持することができるために、太巻芯を回転させた際にこれら紐類が懐材２４の中で巻芯や巻子と接触することを防止することができる。また、巻芯の装飾金具などの形状や損傷による巻芯の変形に対応して懐材２４が変形する場合は、開口部２４ａがその変形のバッファとして機能する。
【００３９】
なお、懐材の形態について多様な例を示したが、さらに、懐材はメッシュシートであってもよく、また、複数の帯状材を太巻芯の長手方向に間欠的に取り付けた構造のものであってもよい。
【００４０】
［他の実施形態４］
他の実施形態４を図８に示す。他の実施形態８は、端部に掛軸のように巻芯を有さない、地図やポスターなどのシート状物品を兼用で保持することができる太巻芯１１である。
【００４１】
図８(a)に示すように、図１に示した実施形態の太巻芯１と構造を同じくするが、他の実施形態４の太巻芯１１は、さらに巻筒２の開放部２Ｂにおいて、その外周面にシート状カバー５を有する。シート状カバー５は、分割筒２ａ、２ｂの一方にその縁部５ａを接着して取り付けられており、開放部２Ｂを跨いで他方の分割筒２ｂ、２ａの外周面を覆う構造を有する。
【００４２】
図８(b)、図８(c)にこの実施形態の太巻芯１１を用いた作業を示す。作業者は太巻芯１１の両端を両手で保持して、巻芯を有さない作品５２のみのシート状物品の端部５２ａを懐材４に差し込む。そして、作業者は、太巻芯１１をシート状カバー５の両端を押さえることで、作品５２をシート状カバー５と巻筒２との間に挟持することで、作品５２が抜けてしまうことを防止し、これを回転させて巻筒２の外周面に作品５２を巻き取っていくことができる。または、二点鎖線で示すように、他方の分割筒に長尺のシート状カバー１５を一端１５ａで取り付けて、これを太巻芯１１に巻回するように構成することで、シート状カバー１５の間に、作品５２を巻き込んで保存する構造としてもよい。
【００４３】
このように、シート状カバー５をさらに設けることにより、掛軸とは異なり、端部に巻芯を有さないシート状物品でも、懐材４から端部が抜けることなく、確実に巻き取り作業を行うことができる。
【００４４】
［他の実施形態５，６，７]
他の実施形態５，６，７を図９(a)乃至(e)に示す。いずれの太巻芯も巻筒に関するバリエーションである。
【００４５】
図９(a)、(b)に示す他の実施形態５の太巻芯２１は、巻筒２の端部において、開放部２Ｂの両側の分割筒２２ａ、２２ｂに切欠き２２ｃが形成されている。掛軸５０によっては、巻芯５１の端部の径が大きくなっている場合があり、この巻芯５１を懐材４に収納した際に、切欠き２２ｃが大径の巻芯５１の端部５１ａとの干渉を回避することができる。
【００４６】
なお、切欠２２ｃの形状は、図９(a)にしめすようなＶ字型に限られず、同図に一点鎖線で表したような四角いものでもよく、多様な形状を選択することができる。
【００４７】
図９(c)、(d)に示す他の実施形態６の太巻芯３１は、巻筒２の両端において、その分割筒２ｂの先端部２ｂ１に、所定の厚みを有するスペーサ７を取り付けたものである。スペーサ７は、合成樹脂製であって先端部７ａが所定の幅を有する。そして、巻筒２の開放部２Ｂを閉じた際には、スペーサ７の先端部７ａは、他方の分割筒２ａと、その先端部２ａ１の端面において当接する。
【００４８】
上述の通り、分割筒２ａ、２ｂのそれぞれの先端部２ａ１、２ｂ１は断面がテーパ形状を有するため、作品５２を巻筒２に強く巻きつけると一方の先端部２ａ１、２ｂ１が他方の先端部２ｂ１、２ａ１の上に乗り上げてしまい、その間に作品５２を挟み込むことになって破損させる可能性もあった。
【００４９】
この他の実施形態５の太巻芯３１によれば、先端において所定の幅をもったスペーサ７がその先端部７ａにおいて、他方の分割筒２ａ、２ｂの端部に当接し、開放部２Ｂにおいて、両者が重なることを防止することができる。
【００５０】
図９(e)に示す他の実施形態７の太巻芯４１は、巻筒２の長さを調節することが出来るように、切断用のガイドライン２ｄを印刷したものである。レザーソーなどを用いて、このガイドライン２ｄに沿って巻筒２を切断すれば、巻子の幅に合わせて、多様な長さの太巻芯４１を提供することができる。
【００５１】
なお、巻筒の形態について多様な例を示したが、さらに、巻筒は断面が真円である必要はなく、楕円形状などが選択されてもよい。また、巻筒２を補強するため、内周面にはリブを形成するなどしてもよい。
【００５２】
［固定具］
次に、図１０に、太巻芯用に外付けされる固定具の構造を説明する。この固定具８は、上述した実施形態の太巻芯１によるシート状物品の巻き取り作業が終わったあと、太巻芯１の両端に取り付けて、長期保存に耐えるように巻筒２の形状を保持する部材である。
【００５３】
図１０(a)に示すように、固定具８、８は太巻芯１の両端に取り付けられ、その状態で保管箱９の本体９ａに載置される。その後、図１０(c)に示すように、固定具８の上部にクッション材９ｃを載置し、遊びをなくしたうえで蓋体９ｂを閉じて、太巻芯１の保管を完了する。固定具８の幅及び高さは、太巻芯１に巻子を巻きつけた際にそれを含めた径以上のサイズとなるように設定され、同図(c)に示すように、保管箱９内に載置された際に、作品５２が保管箱９内の底面若しくは側面に接触しないようにしている。
【００５４】
図１０(b)に示すように、固定具８は一方が開放された箱状体であって、底面には太巻芯１の巻筒２に内嵌する円形の第１ウェブ８ａを有し、さらに、その外側に巻筒２に外嵌する円形の第２ウェブ８ｂを有する。また、四方の立設片には作業者が指を引っ掛けるための開口部８ｃが形成されている。
【００５５】
図１０(c)に太巻芯１の巻筒２に固定具８を取り付けた状態の断面図を示すが、巻筒２の端部が第１ウェブ８ａと第２ウェブ８ｂとの間に挿入された状態で装着される。特に、第１ウェブ８ａは、巻筒２に内嵌されるため、巻筒２が周囲に巻回した作品５２の締め付けにより変形しそうになっても、巻筒２の断面形状を保持することができる。
【００５６】
［固定具の他の実施形態］
図１１に固定具の他の実施形態を示す。図１１(a)、(b)のそれぞれに示すように、固定具１８は、巻筒２をそれぞれ内嵌、外嵌する第１ウェブ１８ａと第２ウェブ１８ｂを有している。また、作業者が指を引っ掛ける開口部１８ｃは立設部ではなく固定具１８の底部に形成されている。また、固定具１８の立設片の角１８ｄは面取りされており、保管箱へ挿入しやすいようにガイドとして機能する。
【産業上の利用可能性】
【００５７】
本発明のシート状物品の保管器具は、掛軸、地図、タペストリー、ポスター等のシート状の美術品や設計図を破損することなく長期に保管することに使用される。
【図面の簡単な説明】
【００５８】
【図１】実施形態に係る太巻芯の斜視図である。
【図２】同太巻芯の分解斜視図である。
【図３】同太巻芯の構造を説明する説明図である。
【図４】同太巻芯に掛軸を収納する際の作業説明図である。
【図５】同太巻芯に掛軸を収納する際の作業説明図である。
【図６】同太巻芯の多様な使用方法を示す説明図である。
【図７】太巻芯の他の実施形態を示す説明図である。
【図８】太巻芯の他の実施形態を示す説明図である。
【図９】太巻芯の他の実施形態を示す説明図である。
【図１０】外付けの固定具の説明図である。
【図１１】外付けの固定具の他の実施形態を示す説明図である。
【図１２】従来の太巻芯の斜視図である。
【符号の説明】
【００５９】
１、１１、２１、３１、４１    太巻芯（シート状物品の保持器具）
２、２２    巻筒
２ａ、２ｂ    分割筒
２Ａ    ヒンジ部
２Ｂ    開放部
３  ヒンジ
４、１４、２４    懐材
５、１５    シート状カバー
７    スペーサ
８、１８    固定具
８ａ、１８ａ    ウェブ（嵌合部）
５０    掛軸
５１    巻芯
５２    作品
５３    巻芯
１０１    太巻芯（保管器具）
１０２    太巻芯本体
１０３    ヒンジ
１０４    溝部
【図１】
2009273617.tif 000003
【図２】
2009273617.tif 000004
【図３】
2009273617.tif 000005
【図４】
2009273617.tif 000006
【図５】
2009273617.tif 000007
【図６】
2009273617.tif 000008
【図７】
2009273617.tif 000009
【図８】
2009273617.tif 000010
【図９】
2009273617.tif 000011
【図１０】
2009273617.tif 000012
【図１１】
2009273617.tif 000013
【図１２】
2009273617.tif 000014